(57)【特許請求の範囲】
【請求項１】
電子装置のホーム画面編集方法であって、
タッチスクリーン上に複数のページを含むホーム画面のうちの第１ページを表示する段階と、
前記第１ページに表示された少なくとも一つのアイコンのうちの第１アイコンに対するロングタッチ入力を感知する段階と、
前記ロングタッチ入力が維持された状態で、前記タッチスクリーン上の前記第１アイコンの位置と異なる位置で少なくとも１回のタッチ移動入力を感知する段階と、
前記少なくとも１回のタッチ移動入力の感知に対応し、前記第１アイコンの表示を維持し且つ前記タッチ移動入力の方向及び前記少なくとも１回のタッチ移動入力の回数に対応する前記複数のページのうちから第２ページを表示する段階と、
前記少なくとも１回のタッチ移動入力の終了後、前記第２ページが表示された状態で、前記ロングタッチ入力の移動を感知する段階と、
前記ロングタッチ入力の位置移動によって、前記第２ページの表示を維持し且つ前記第２ページ上で前記第１アイコンの位置を移動させる段階と、
前記ロングタッチ入力の解除を感知する段階と、
前記第２ページ上で前記ロングタッチ入力が解除された位置に前記第１アイコンを固定して位置させる段階と、を有することを特徴とする方法。
【請求項２】
前記第２ページを表示する段階は、前記第１アイコンを除く前記第１ページの少なくとも一つのアイコンの表示を除去して前記第２ページを表示する段階を含むことを特徴とする請求項１に記載の方法。
【請求項３】
前記第１アイコンは、前記タッチ移動入力に関係なく前記ロングタッチ入力の位置に表示されることを特徴とする請求項１に記載の方法。
【請求項４】
前記ロングタッチ入力の感知に対応し、前記第１アイコンの位置を移動させることを可能にする編集モードを活性化させる段階を更に含み、
前記編集モード上で前記第１ページの少なくとも一つのアイコンのうちの少なくとも一つの位置が移動されることを特徴とする請求項１に記載の方法。
【請求項５】
前記編集モードが活性化されると、前記アイコンをフローティング状態に変更するか又は前記アイコンをハイライトする段階を含むことを特徴とする請求項４に記載の方法。
【請求項６】
電子装置であって、
タッチスクリーンと、
制御部と、を備え、
前記制御部は、
前記タッチスクリーン上に複数のページを含むホーム画面のうちの第１ページを表示し、
前記第１ページに表示された少なくとも一つのアイコンのうちの第１アイコンに対するロングタッチ入力を感知し、
前記ロングタッチ入力が維持された状態で、前記タッチスクリーン上の前記第１アイコンの位置と異なる位置で少なくとも１回のタッチ移動入力を感知し、
前記少なくとも１回のタッチ移動入力の感知に対応し、前記第１アイコンの表示を維持し且つ前記タッチ移動入力の方向及び前記少なくとも１回のタッチ移動入力の回数に対応する前記複数のページのうちから第２ページを表示し、
前記少なくとも１回のタッチ移動入力の終了後、前記第２ページが表示された状態で、前記ロングタッチ入力の移動を感知し、
前記ロングタッチ入力の位置移動によって、前記第２ページの表示を維持し且つ前記第２ページ上で前記第１アイコンの位置を移動させ、
前記ロングタッチ入力の解除を感知し、
前記第２ページ上で前記ロングタッチ入力が解除された位置に前記第１アイコンを固定して位置させることを特徴とする電子装置。
【請求項７】
前記制御部は、前記タッチ移動入力の感知に対応し、前記第１アイコンを除く前記第１ページの少なくとも一つのアイコンの表示を除去して前記第２ページを表示することを特徴とする請求項６に記載の電子装置。
【請求項８】
前記第１アイコンは、前記タッチ移動入力に関係なく前記ロングタッチ入力の位置に表示されることを特徴とする請求項６に記載の電子装置。
【請求項９】
前記制御部は、
前記ロングタッチ入力の感知に対応し、前記第１アイコンの位置を移動させることを可能にする編集モードを活性化し、
前記編集モード上で前記第１ページの少なくとも一つのアイコンのうちの少なくとも一つの位置を移動することを特徴とする請求項６に記載の電子装置。
【請求項１０】
前記制御部は、前記編集モードが活性化されると、前記アイコンをフローティング状態に変更するか又は前記アイコンをハイライトすることを特徴とする請求項９に記載の電子装置。
【発明の詳細な説明】
【技術分野】
【０００１】
本発明は、タッチインタラクション提供方法及び装置に係り、より詳細には、電子装置を便利且つ直観的に制御することが可能なマルチタッチインタラクションを提供する電子装置及びそのホーム画面編集方法に関する。
【背景技術】
【０００２】
最近、情報通信技術と半導体技術などの目覚しい発展に伴い、携帯端末機の普及と利用が急速に進んでいる。これにより携帯端末機は現代人の必需品になった。携帯端末機は、音声通話やメッセージ送受信のような一般的な通信機能以外にも、テレビ視聴機能（例えば、ＤＭＢ（Ｄｉｇｉｔａｌ  Ｍｕｌｔｉｍｅｄｉａ  Ｂｒｏａｄｃａｓｔｉｎｇ）及びＤＶＢ（Ｄｉｇｉｔａｌ  Ｖｉｄｅｏ  Ｂｒｏａｄｃａｓｔｉｎｇ）の移動放送）、音楽再生機能（例えば、ＭＰ３（ＭＰＥＧ  Ａｕｄｉｏ  Ｌａｙｅｒ−３）、写真撮影機能、データ通信機能、インターネット接続機能及び近距離無線通信機能などの多様な機能を提供している。
このように、携帯端末機が多様な機能を支援するに伴い、携帯端末機をより迅速で且つ便利に制御できる方法が要求されている。特に、タッチスクリーンを備える携帯端末機の増加に伴い、最近は、タッチインタラクションを利用して携帯端末機を一層便利で且つ直観的に制御できる方案が要求されている。しかし従来の方法及び装置は、これらの要求を満たさなかった。
【発明の概要】
【発明が解決しようとする課題】
【０００３】
本発明は、上記従来の問題点に鑑みてなされたものであって、本発明の目的は、電子装置を便利且つ直観的に制御することが可能なマルチタッチインタラクションを提供する電子装置及びそのホーム画面編集方法を提供することにある。
【課題を解決するための手段】
【０００５】
上記目的を達成するためになされた本発明の一態様による電子装置のホーム画面編集方法は、タッチスクリーン上に複数のページを含むホーム画面のうちの第１ページを表示する段階と、前記第１ページに表示された少なくとも一つのアイコンのうちの第１アイコンに対するロングタッチ入力を感知する段階と、前記ロングタッチ入力が維持された状態で、前記タッチスクリーン上の前記第１アイコンの位置と異なる位置でタッチ移動入力を感知する段階と、前記タッチ移動入力の感知に対応し、前記第１アイコンの表示を維持し且つ前記タッチ移動入力の方向に対応する第２ページを表示する段階と、前記ロングタッチ入力の位置移動によって、前記第２ページ上で前記第１アイコンの位置を移動させる段階と、前記ロングタッチ入力の解除を感知する段階と、前記第２ページ上で前記ロングタッチ入力が解除された位置に前記第１アイコンを固定して位置させる段階と、を有することを特徴とする。
【０００６】
上記目的を達成するためになされた本発明の一態様による電子装置は、タッチスクリーンと、制御部と、を備え、前記制御部は、前記タッチスクリーン上に複数のページを含むホーム画面のうちの第１ページを表示し、前記第１ページに表示された少なくとも一つのアイコンのうちの第１アイコンに対するロングタッチ入力を感知し、前記ロングタッチ入力が維持された状態で、前記タッチスクリーン上の前記第１アイコンの位置と異なる位置でタッチ移動入力を感知し、前記タッチ移動入力の感知に対応し、前記第１アイコンの表示を維持し且つ前記タッチ移動入力の方向に対応する第２ページを表示し、前記ロングタッチ入力の位置移動によって、前記第２ページ上で前記第１アイコンの位置を移動させ、前記ロングタッチ入力の解除を感知し、前記第２ページ上で前記ロングタッチ入力が解除された位置に前記第１アイコンを固定して位置させることを特徴とする。
【発明の効果】
【０００７】
本発明によれば、例えば、第１タッチ入力を通じて第１機能を実行し、第１機能を実行している状態で第２タッチ入力を通じて第２機能を実行するので、時間差を持って入力されるマルチタッチを利用して携帯端末機を一層便利で且つ直観的に制御できる。これにより、本発明による方法及び装置は、携帯端末機のユーザの便宜性を向上させる。
【図面の簡単な説明】
【０００８】
【図１】は、本発明の実施例による携帯端末機の構成を概略的に示すブロック図である。
【図２】は、本発明の実施例による携帯端末機の構成のうち制御部を詳しく示す図である。
【図３】は、本発明の実施例による携帯端末機のマルチタッチインタラクション提供方法を説明するための流れ図である。
【図４】は、本発明の実施例によるマルチタッチインタラクションを通じてホーム画面からアイコンを移動する例を示す画面例示図である。
【図５】は、本発明の実施例によるマルチタッチインタラクションを通じてホーム画面からアイコンを移動する例を示す画面例示図である。
【図６】は、本発明の実施例によるマルチタッチインタラクションを通じてリスト画面でアイテムの配列を変更する例を示す画面例示図である。
【図７】は、本発明の実施例によるマルチタッチインタラクションを通じて電子本画面でブックマーク機能を提供する例を示す画面例示図である。
【図８】は、本発明の実施例によるマルチタッチインタラクションを通じて電子本画面でブックマーク機能を提供する例を示す画面例示図である。
【発明を実施するための形態】
【０００９】
以下、本発明を実施するための形態の具体例を、図面を参照しながら詳細に説明する。図面において、同一の構成部材は、できるだけ同一の参照符号で示していることを留意しなければならない。なお、本発明の要旨を却って不明確にする虞がある場合、公知機能及び構成に対する詳細な説明は省略する。
【００１０】
なお、本明細書と図面に開示された本発明の実施例は、本発明の技術内容を容易に説明し、本発明の理解を助けるために特定の例を提示したものに過ぎず、本発明の範囲を限定するものではない。ここに開示された実施例以外にも本発明の技術的思想に基づく他の変形例が実施可能であるということは、本発明の属する技術分野における通常の知識を有する者には自明であろう。
【００１１】
詳細な説明に先立って、本発明の実施例による携帯端末機は、タッチスクリーンを備え、マルチタッチを認識できるデバイスであって、個人情報端末機（ＰＤＡ）、移動通信端末機、スマートホン（Ｓｍａｒｔ  Ｐｈｏｎｅ）、タブレット（Ｔａｂｌｅｔ）パソコン、テーブルトップ（Ｔａｂｌｅｔｏｐ）、ＰＭＰ（Ｐｏｒｔａｂｌｅ＿Ｍｕｌｔｉｍｅｄｉａ＿Ｐｌａｙｅｒ、携帯マルチメディアプレイヤ）、ノートパソコン等の何れかである。一方、本発明は、相対的に大きい、即ち、携帯が困難な画面を有するＬＦＤ（Ｌａｒｇｅ  Ｆｏｒｍａｔ  Ｄｉｓｐｌａｙ）、電子黒板、タッチモニター（Ｔｏｕｃｈ  Ｍｏｎｉｔｏｒ）等の電子機器にも適用できる。
【００１２】
図１は、本発明の実施例による携帯端末機の構成を概略的に示すブロック図であり、図２は、本発明の実施例による携帯端末機の構成のうち制御部を詳しく示す図である。
図１及び図２を参照すれば、本発明の実施例による携帯端末機１００は、タッチスクリーン１３０、格納部１２０、及び制御部１１０を含む。タッチスクリーン１３０は、表示パネル１３１及びタッチパネル１３２を含み、制御部１１０は、タッチ認識部１１１、機能処理部１１２及び画面出力部１１３を含む。
【００１３】
タッチスクリーン１３０は、入力機能及び表示機能を実行する。このために、タッチスクリーン１３０は、表示パネル１３１及びタッチパネル１３２を含む。
【００１４】
表示パネル１３１は、携帯端末機１００の各種メニューを含めてユーザが入力した情報又はユーザに提供するための情報を表示する。例えば、表示パネル１３１は、携帯端末機１００の利用による多様な画面、例えばページ方式のホーム画面、メッセージ作成画面、通話画面、リスト画面、コンテンツ（電子本）実行画面などを提供する。特に、本発明による表示パネル１３１は、時間差を持って入力されるマルチタッチインタラクションを通じて制御される多様な画面を提供する。前記多様な画面に対する説明は、図４乃至図８を参照して後述する。このような表示パネル１３１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ、有機発光ダイオード）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ、アクティブマトリクス型有機発光ダイオード）等で形成される。
【００１５】
タッチパネル１３２は、表示パネル１３１の前面に装着され、タッチ入力装置、例えばユーザの指又はスタイラス（Ｓｔｙｌｕｓ）が接触する場合、タッチイベントを生成し、生成されたタッチイベントを制御部１１０に伝達する。詳細には、タッチパネル１３２は、タッチ入力装置の接触による物理量（例えば静電容量、抵抗値など）の変化を通じてタッチを認識し、タッチ位置情報を制御部１１０に伝達する。このようなタッチパネル１３２は、本発明の技術分野における通常の知識を有する者にとって自明なことなので、詳細な説明を省略する。
【００１６】
格納部１２０は、本発明の実施例による機能動作に必要なプログラム及びユーザデータ等を格納する。例えば、格納部１２０は、携帯端末機１００の全般的な動作を制御するプログラム及び携帯端末機１００を起動するＯＳ（Ｏｐｅｒａｔｉｎｇ  Ｓｙｓｔｅｍ）、携帯端末機１００のその他オプション（選択的）機能、例えば、カメラ機能、音声再生機能、イメージ又は動画再生機能、近距離無線通信機能、に必要な応用プログラム及び複数のコンテンツ等を格納できる。また、格納部１２０は、タッチスクリーン１３０運用のためのキーマップ及びメニューマップ等を格納する。ここで、キーマップ、メニューマップは、それぞれ多様な形態で構成される。例えば、前記キーマップは、キーボードマップ、３×４キーマップ、クォティ（Ｑｗｅｒｔｙ）キーマップ等の何れかであり、現在活性化されている応用プログラムの運用制御のための制御キーマップになる。また、前記メニューマップは、現在活性化されている応用プログラム運用制御のためのメニューマップになる。
特に、本発明の実施例による格納部１２０は、時間差を持って入力されるマルチタッチインタラクションを認識し、認識されたマルチタッチインタラクションによって携帯端末機１００の機能実行を制御する応用プログラムを含む。前記応用プログラムは、タッチイベントを認識するタッチ認識ルーチン、前記認識されたタッチイベントによる機能を処理する機能処理ルーチン及び前記機能処理による画面を出力する画面出力ルーチンを含む。
【００１７】
制御部１１０は、携帯端末機１００の全般的な動作及び携帯端末機１００の内部ブロック間の信号フローを制御する。特に、本発明による制御部１１０は、時間差を持って入力されるマルチタッチインタラクションを認識し、それによる機能実行を制御する。このために、制御部１１０は、タッチ認識部１１１、機能処理部１１２及び画面出力部１１３を含む。
【００１８】
タッチ認識部１１１は、タッチパネル１３２から入力される情報に基づいてタッチイベントの種類（タッチ（Ｔｏｕｃｈ）、タッチ解除、タップ（Ｔａｐ）、ダブルタッチ、タッチ移動（ドラッグ（Ｄｒａｇ）、又はフリック（Ｆｌｉｃｋ））、マルチタッチ、等）を認識する。ここで、前記タッチは、タッチパネルにユーザの指、スタイラス等が接触した状態を意味し、前記タッチ解除は、タッチパネルに対するタッチ入力装置の接触を解除することを意味する。
ここで、タップイベントは、タッチ後、或る一定時間以内にタッチを解除するタッチイベントを意味し、ダブルタッチは、前記タップイベントが連続して発生するタッチイベントを意味し、ロングタッチは、前記タッチを或る一定時間以上維持するタッチイベントを意味し、タッチ移動は、一方の地点をタッチした後、他方の地点に移動するタッチイベントを意味する。前記タッチ移動は、或る一定基準以下の速度で移動するドラッグ（Ｄｒａｇ）イベントと、前記或る一定基準以上の速度で移動するフリック（ｆｌｉｃｋ）イベントを含む。前記マルチタッチは、少なくとも２個以上のタッチイベントが発生するタッチイベントを意味する。特に、本発明のタッチ認識部１１１は、時間差を持って入力されるマルチタッチを認識し、これを機能処理部１１２に伝達する。
【００１９】
機能処理部１１２は、タッチ認識部１１１によって認識されたタッチイベントに対応する機能を実行する。特に、本発明による機能処理部１１２は、第１タッチ入力時に第１機能を実行し、前記第１機能が実行されている状態、即ち、第１タッチが維持されている状態で第２タッチが入力される場合、前記第２タッチに対応する第２機能を実行する。この際、前記第２機能は、第１タッチによって実行された第１機能と関連する機能である。
例えば、ホーム画面に含まれたアイコンの位置を変更しようとする場合、第１タッチは、アイコンを選択して編集モードに進入するロングタッチイベントになり、第２タッチは、ホーム画面の他のページが出力されるように要請するタッチ移動イベントになる。又は、リスト画面に含まれたアイテムの配列を変更しようとする場合、第１タッチ入力は、アイテムを選択して編集モードに進入するロングタッチイベントになり、第２タッチ入力は、リストをスクロールするタッチ移動イベントになる。又は、電子本コンテンツ実行画面にブックマーク機能を提供しようとする場合、第１タッチ入力は、ブックマークを挿入する特定ページを選択するロングタッチイベントになり、第２タッチ入力は、電子本のページ移動を要請するタッチ移動イベントになる。これらに関する詳細な説明は、図４乃至図８を参照して後述する。
【００２０】
画面出力部１１３は、表示パネル１３１の画面出力を制御する。画面出力部１１３は、機能処理部１１２によって実行される機能実行画面に対応するデータを表示パネル１３１に伝送する。即ち、画面出力部１１３は、図４乃至図８に示すような画面を出力するように表示パネル１３１を制御する。
【００２１】
一方、図１には示していないが、本発明による携帯端末機１００は、イメージ又は動画撮影のためのカメラモジュール、放送受信のための放送受信モジュール、ＭＰ３（ＭＰｅｇ  ａｕｄｉｏ  ｌａｙｅｒ−３）モジュール等のデジタル音源再生モジュール、及び近接センシングのための近接センサーモジュール等、付加機能を提供するための構成要素を選択的に更に含む。このような構成要素は、デジタル機器のコンバージョンス（ｃｏｎｖｅｒｇｅｎｃｅ）傾向に伴い変形が非常に多様であるので、全ては列挙できないが、本発明による携帯端末機１００は、上述の構成要素と同等な水準の構成要素を更に含み得る。
【００２２】
図３は、本発明の実施例による携帯端末機のマルチタッチインタラクション提供方法を説明するための流れ図である。
図１乃至図３を参照すれば、本発明の実施例による制御部１１０は、３０１段階で、第１タッチ入力が受信されるかを確認する。前記第１タッチ入力が受信されなければ、制御部１１０は、３０１段階を維持する。即ち、制御部１１０は、第１タッチ入力受信を待機する。一方、前記第１タッチ入力が受信される場合、制御部１１０は、３０３段階で、第１タッチ入力に対応する第１機能を実行する。例えば、前記第１タッチ入力は、対象とする第１機能を選択するロングタッチイベントであり、前記第１機能は例えば、編集モード機能又はブックマーク挿入機能である。これに関する詳細な説明は、図４乃至図８の画面例示図を参照して後述する。
【００２３】
制御部１１０は、３０５段階で、第１タッチ入力が解除されるかを確認する。前記第１タッチ入力が解除される場合、３０１段階に戻る。一方、前記第１タッチ入力が解除されない場合、制御部１１０は、３０７段階に進行し、第２タッチ入力が受信されるかを確認する。前記第２タッチ入力が受信されなければ、制御部１１０は、３０５段階に戻ることができる。一方、前記第２タッチ入力が受信されれば、制御部１１０は、３０９段階に進行し、第２タッチ入力に対応する第２機能を実行する。前記第２タッチ入力は例えば、タッチ移動イベントであり、前記第２機能は、前記第１機能と関連する機能である。これに関する詳細な説明は、図４乃至図８の画面例示図を参照して後述する。
【００２４】
制御部１１０は、３１１段階で、第１タッチ入力が解除されるかを確認する。３１１段階で、第１タッチ入力が解除されない場合、制御部１１０は、３０７段階に戻り、第１タッチ入力が解除される場合、制御部１１０は、３０１段階に戻り、上述した過程を繰り返す。
【００２５】
以上では、流れ図を通じて本発明の実施例による携帯端末機のマルチタッチインタラクション提供方法について概略的に説明した。以下では、多様な実施例を通じて本発明をより詳細に説明する。
【００２６】
図４及び図５は、本発明の実施例によるマルチタッチインタラクションを通じてホーム画面からアイコンを移動する例を示す画面例示図である。
【００２７】
図１乃至図５を参照すれば、本発明の実施例による制御部１１０は、参照符号４１０の画面例示図に示すようにホーム画面を出力する。前記ホーム画面は、多様な複数のページを含む。前記ホーム画面の各ページは、コンテンツアイコン、ウィゼット（ｗｉｄｇｅｔ）アイコン、ショートカットアイコン、フォルダアイコン等の複数のアイコンを含む。この際、前記ホーム画面の上端には、ページ数及び現在ページを示すページ情報インジケーター１０を表示する。ページ情報インジケーター１０は、画面に表示されるページの移動と関係なく固定されている。参照符号４１０の画面例示図のページ情報インジケーター１０を参照すれば、携帯端末機１００のホーム画面は、３個のページを含み、現在二番目ページが出力中であることが分かる。この際、破線で囲んで薄く表示された一番目ページ及び三番目ページは、ユーザに見えない。
【００２８】
参照符号４１０の画面例示図の状態で、ユーザは、位置を移動させようとする特定アイコン２０を一定時間以上タッチ（第１タッチ）、即ち、ロングタッチすることができる。特定アイコン２０のロングタッチイベントが受信されれば、制御部１１０は、アイコンの位置を変更する編集モードを行う。前記編集モードが実行されれば、制御部１１０は、参照符号４２０の画面例示図に示すように、特定アイコン２０をフローティング（Ｆｌｏａｔｉｎｇ）状態に変更し、特定アイコン２０をハイライト（Ｈｉｇｈｌｉｇｈｔ、強調表示）して編集モードが実行されたことをユーザに通知する。
【００２９】
前記編集モードが実行された状態で前記タッチされた地点以外の領域で画面移動を要請するタッチ移動イベント（第２タッチ）が入力されれば、制御部１１０は、参照符号４２０の画面例示図及び参照符号４３０の画面例示図に示すように、タッチ移動方向への画面移動機能を実行する。この際、フローティングされた特定アイコン２０は、移動しない。参照符号４３０の画面例示図のページ情報インジケーター１０を参照すれば、ホーム画面の一番目ページに移動し、破線で囲んで薄く表示されたホーム画面の二番目ページを参照すれば、特定アイコン２０が二番目ページに存在しないことが分かる。
【００３０】
特定アイコン２０のタッチを維持した状態でタッチ移動イベントを通じてホーム画面の他のページが出力された状態で特定アイコン２０のタッチが解除されれば、制御部１１０は、特定アイコン２０の位置をタッチが解除された位置に変更する。即ち、参照符号４４０の画面例示図及び参照符号４５０の画面例示図に示すように、ユーザは、一番目ページにおいて自分が所望する位置に特定アイコン２０をタッチ移動した後、タッチを解除する。
【００３１】
このように本発明によれば、ホーム画面で位置を移動しようとするアイコンを選択する第１タッチ入力及びホーム画面の他のページに移動を要請する第２タッチ入力を通じてホーム画面に含まれたアイコンの位置を容易に変更できる。この際、前記第２タッチ入力は、前記第１タッチ入力が維持された状態で入力される。
【００３２】
図６は、本発明の実施例によるマルチタッチインタラクションを通じてリスト画面でアイテムの配列を変更する例を示す画面例示図である。
【００３３】
図１乃至図６を参照すれば、本発明の実施例による制御部１１０は、参照符号５１０の画面例示図に示すように、リスト画面を出力する。前記リスト画面は例えば、音楽ファイル、写真ファイル、動画ファイル等のコンテンツリストを出力する画面である。一方、参照符号５１０の画面例示図に示すリスト画面では、複数のアイテムが縦に整列されている。しかし、本発明はこれに限定されない。即ち、本発明は、複数のアイテムが横に整列されたリスト画面、又は縦・横に組み合わせて整列されたリスト画面にも適用できる。
【００３４】
参照符号５１０の画面例示図のような状態でユーザは、配列（整列位置）を変更しようとする特定アイテム３０を一定時間以上タッチ（第１タッチ）、即ち、ロングタッチする。前記第１タッチ入力が受信されれば、制御部１１０は、編集モードを行う。前記編集モードが実行されれば、制御部１１０は、参照符号５２０の画面例示図に示すように、タッチされた特定アイテム３０をフローティング（Ｆｌｏａｔｉｎｇ）状態に変更し、タッチされた特定アイテム３０をハイライト（Ｈｉｇｈｌｉｇｈｔ）して編集モードが実行されたことをユーザに通知する。
【００３５】
前記編集モードが実行された状態で、参照符号５３０の画面例示図に示すように、前記タッチされた地点以外の領域で画面移動を要請するタッチ移動イベント（第２タッチ）が発生すれば、制御部１１０は、タッチ移動方向によるリスト移動（スクロール）機能を実行する。この際、タッチされた特定アイテム３０は移動しない。即ち、制御部１１０は、参照符号５４０の画面例示図に示すようにタッチ移動イベントによってスクロールされたリスト画面を出力する。
【００３６】
前記リスト画面を移動（スクロール）した後、特定アイテム３０のタッチが解除されれば、制御部１１０は、特定アイテム３０の位置をタッチが解除された位置に変更する。即ち、制御部１１０は、参照符号５５０の画面例示図に示すように、特定アイテム３０を例えば、アイテム“６．ｊｐｇ”とアイテム“７．ｊｐｇ”との間に移動する。
【００３７】
このように本発明によれば、リストで特定アイテムを選択する第１タッチ入力及びリストをスクロールする第２タッチ入力を通じてリスト画面でアイテムの配列を容易に変更できる。この際、前記第２タッチ入力は、前記第１タッチ入力が維持された状態で入力される。
【００３８】
図７及び図８は、本発明の実施例によるマルチタッチインタラクションを通じて電子本画面でブックマーク機能を提供する例を示す画面例示図である。
図１乃至図８を参照すれば、本発明の実施例による制御部１１０は、ユーザの要請に従って電子本コンテンツを実行する。前記電子本コンテンツが実行されれば、制御部１１０は、参照符号６１０の画面例示図に示すように、電子本コンテンツ実行画面を出力する。
【００３９】
前記電子本コンテンツ実行画面で特定ページの一側がタッチ（第１タッチ）される場合、制御部１１０は、タッチされた特定ページ（例えば、第２０ページ）に第１ブックマーク（Ｂｏｏｋｍａｒｋ）を挿入する。この際、前記ブックマークは、第１タッチ解除時に削除される臨時ブックマークである。前記臨時ブックマークは、格納部１２０又は制御部１１０に含まれるバッファー（図示せず）に格納される。
【００４０】
前記第１タッチが維持された状態で、前記電子本コンテンツ実行画面でタッチ移動イベント（第２タッチ）が発生する場合、制御部１１０は、参照符号６２０の画面例示図に示すようにページ移動機能を実行する。参照符号６１０の画面例示図及び参照符号６３０の画面例示図のページ情報を参照すれば、ユーザは、第１タッチを通じて第２０ページに第１ブックマークを挿入し、複数回のタッチ移動を通じて第３０−３１ページが出力されるようにページを移動する。
【００４１】
前記タッチ移動イベントによって第３０−３１ページに移動した後、参照符号６３０の画面例示図に示すように、ユーザが電子本の第３１ページの一側をタッチ（第３タッチ）する場合、制御部１１０は、タッチされた第３１ページに第２ブックマークを挿入する。前記第２０ページのブックマーキングによって、第２２ページ乃至第３０ページは、オーバレイされて表示される。従って、本発明によれば、実際の紙製の本を使用する際の経験をシミュレーションできる。
【００４２】
参照符号６３０の画面例示図の状態で、参照符号６４０の画面例示図に示すように、第１タッチを右側方向に移動させるタッチ移動イベントが感知される場合、制御部１１０は、参照符号６５０の画面例示図のように第１ブックマークが挿入された第２０ページが出力されるように制御する。この際、参照符号６５０の画面例示図において前記第１ブックマークは、前記第１タッチの解除によって削除される。一方、前記第３タッチは、維持されているので、前記第２ブックマークは、削除されない。即ち、参照符号６５０の画面例示図の状態で、第３タッチを左側方向に移動させるタッチ移動イベントが感知される場合、制御部１１０は、第２ブックマークが挿入された第３１ページが画面に出力されるように制御することができる。
【００４３】
一方、図７及び図８には示していないが、参照符号６３０の画面例示図の状態で、第１タッチの解除イベントが入力される場合、制御部１１０は、第１ブックマークを削除し、第３タッチの解除イベントが入力される場合、制御部１１０は、第２ブックマークを削除する。
【００４４】
また、図７及び図８では、電子本コンテンツ実行時に、画面に２つのページずつ出力されるものと示したが、本発明がこれに限定されない。即ち、携帯端末機１００は、画面サイズによって１ページずつ出力することもできる。
【００４５】
また、図４、図５、及び図６では、第１タッチを通じて１つのオブジェクト（アイコン又はアイテム）を選択する場合について説明したが、本発明はこれに限定されない。例えば、本発明による携帯端末機のユーザは、ホーム画面又はリスト画面で複数のオブジェクトをロングタッチして編集モードに進入し、前記複数のオブジェクトに対するロングタッチを維持した状態でタッチ移動イベントを入力して画面を移動できる。
【００４６】
一方、以上では、ホーム画面、リスト画面、電子本コンテンツ実行画面を例示して本発明について説明した。しかし、本発明は上述した例に限定されない。例えば、本発明は、イメージ（例えば、写真）コンテンツをタッチ（ロングタッチ）して編集モードに進入し、前記タッチを維持した状態でイメージコンテンツ上で入力される第２タッチ移動イベントによってイメージの一部領域を切り出すことができる。即ち、全身写真から顔のみを切り出そうとする場合、ユーザは、全身写真をタッチ（ロングタッチ）して編集モードに進入し、顔を含むように円のような閉曲線を描くジェスチャーに対応するタッチ移動イベントを通じて顔領域を切り出すことができる。
【００４７】
前述したような本発明の実施例による携帯端末機のマルチタッチインタラクション提供方法は、多様なコンピュータ手段を通じて実行されるプログラム命令形態で具現され、コンピュータで読取可能な記録媒体に記録される。この際、前記コンピュータで読取可能な記録媒体は、プログラム命令、データファイル、データ構造などを単独に、又は組み合わせて含み得る。一方、記録媒体に記録されるプログラム命令は、本発明のために特別に設計され構成されたものであるか、又は、コンピュータソフトウェア当業者に公知且つ使用可能なものである。
【００４８】
前記コンピュータで読取可能な記録媒体には、ハードディスク、フロッピー（登録商標）ディスク及び磁気テープ等の磁気媒体（Ｍａｇｎｅｔｉｃ  Ｍｅｄｉａ）、ＣＤ−ＲＯＭ、ＤＶＤ等の光記録媒体（Ｏｐｔｉｃａｌ  Ｍｅｄｉａ）、フロプチカルディスク（Ｆｌｏｐｔｉｃａｌ  Ｄｉｓｋ）等の磁気−光媒体（Ｍａｇｎｅｔｏ−Ｏｐｔｉｃａｌ  Ｍｅｄｉａ）、及び、ＲＯＭ（Ｒｅａｄ  Ｏｎｌｙ  Ｍｅｍｏｒｙ）、ＲＡＭ、フラッシュメモリ等の、プログラム命令を格納し実行するように特別に構成されたハードウェア装置が含まれる。また、プログラム命令には、コンパイラーによって作られる機械語コードだけでなく、インタプリター等を利用してコンピュータによって実行され得る高級言語コードを含む。前述したハードウェア装置は、本発明の動作を実行するための１つ以上のソフトウェアモジュールとして作動するように構成され得る。
【００４９】
以上で説明した本発明によれば、時間差を持って入力されるマルチタッチを利用して携帯端末機を一層便利で且つ直観的に制御できる。例えば、本発明によれば、オブジェクト（例えば、ホーム画面の特定アイコン、リスト上の特定アイテム、電子本の特定ページ）選択機能と画面移動機能を、マルチタッチを通じて個別的に実行できる。言い換えれば、本発明によれば、シングルタッチ又はマルチタッチ入力によって第１機能が実行されている状態で第２タッチ入力を通じて第２機能を実行できる。即ち従来は、１回に１つの機能のみしか実行できなかったのに対して、本発明によれば、順次に入力されるマルチタッチ入力によって２つ以上の機能を実行するので、ユーザの便宜性を向上できる。
【００５０】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００５１】
１０    ページ情報インジケーター
２０    （特定）アイコン
３０    （特定）アイテム
１００    携帯端末機
１１０    制御部
１１１    タッチ認識部
１１２    機能処理部
１１３    画面出力部
１２０    格納部
１３０    タッチスクリーン
１３１    表示パネル
１３２    タッチパネル
【図１】
0006506347.tif 000002
【図２】
0006506347.tif 000003
【図３】
0006506347.tif 000004
【図４】
0006506347.tif 000005
【図５】
0006506347.tif 000006
【図６】
0006506347.tif 000007
【図７】
0006506347.tif 000008
【図８】
0006506347.tif 000009